(57)【要約】【課題】広いスペースを確保することなく多くの大型カーテンウォール材を適正にストックすることができるストック設備を提供することを目的とする。【解決手段】版状のカーテンウォール材２を工事現場内にストックするためのストック設備１であって、工事中の多層構造物Ｘに形成された鉛直方向に複数層に亘って延在する空間Ｓ内に、多層構造物Ｘの躯体Ｇ、Ｇ間に架設されたストック架台３が設置され、ストック架台３に、鉛直に配置されたカーテンウォール材２が複数並べて吊持される。【選択図】図１
2008190149.tif 000002
【特許請求の範囲】
【請求項１】
版状のカーテンウォール材を工事現場内にストックするためのストック設備であって、
工事中の多層構造物に形成された鉛直方向に複数層に亘って延在する空間内に、前記多層構造物の躯体間に架設されたストック架台が設置され、該ストック架台に、鉛直に配置された前記カーテンウォール材が複数並べて吊持されることを特徴とするストック設備。
【請求項２】
請求項１記載のストック設備において、
前記ストック架台が、前記多層構造物の躯体間に架け渡されて支持されているとともに間隔をあけて並列に配設された複数の支持架材と、該複数の支持架材の間に架け渡されて支持されているとともに吊り具を介して前記カーテンウォール材を吊持する複数の吊り架材と、を備える構成からなることを特徴とするストック設備。
【請求項３】
請求項１または２の何れか一項に記載のストック設備において、
前記カーテンウォール材を前記ストック架台にセットするセット層よりも上の層の前記空間内に、前記セット層よりも下の層の前記空間内に搬入された前記カーテンウォール材を前記ストック架台まで吊り上げる吊上げ手段が設置されていることを特徴とするストック設備。
【請求項４】
請求項３記載のストック設備において、
前記吊上げ手段が、前記多層構造物の躯体に固定された平行する複数の固定レールと、該複数の固定レール間に架設されているとともに該固定レールに沿って走行する走行レールと、該走行レールに沿って走行する走行体と、該走行体に設けられ、前記カーテンウォール材を吊り上げるカーテンウォール材用揚重装置と、を備えた構成からなることを特徴とするストック設備。
【請求項５】
請求項１から４の何れか一項に記載のストック設備において、
前記複数のカーテンウォール材を前記ストック架台に吊持させた状態でストックするストック層よりも上の層の前記空間内に、前記複数のカーテンウォール材を吊持した前記ストック架台を前記空間内で昇降させる昇降手段が設置されていることを特徴とするストック設備。
【請求項６】
請求項５記載のストック設備において、
前記昇降手段が、前記多層構造物の躯体から前記空間側に張り出して設けられた支持アームと、該支持アームに設けられ、前記ストック架台を吊り上げるストック架台用揚重装置と、を備えた構成からなることを特徴とするストック設備。
【発明の詳細な説明】
【技術分野】
【０００１】
本発明は、カーテンウォール材を工事現場内にストックするためのストック設備に関する。
【背景技術】
【０００２】
従来より、建築工事において、工場で製作されたプレキャストコンクリートカーテンウォールやアルミカーテンウォール等の版状のカーテンウォール材によって建築構造物の外壁を構築する工法が知られている。この工法によれば、現場での作業を減らすことができ、生産性を高めることができる。
【０００３】
ところが、上記した工法では、工場で製作したカーテンウォール材をトラックやトレーラー等の大型運搬車輌で建設現場に搬入することになるため、輸送コストが嵩むという問題がある。そこで、近年、建設現場内にカーテンウォール材を製作する場所を確保し、現場内でカーテンウォール材の製作を行うサイトヤード方式が提案されている。例えば、アルミカーテンウォール材をサイトヤード方式で製作する場合、現場内に製作ラインを展開する場所（サイトヤードスペース）を確保し、そこに、（１）資材ストックエリア、（２）フレームユニット組立てエリア、（３）ガラス嵌め込みエリア、（４）シール／ガスケット取付けエリア、（５）養生／完成品ストックエリア、といった各作業エリアを設置する。そして、アルミカーテンウォールの材料を小さな部材で現場に搬入し、上記した各作業エリアでそれぞれの作業を行って版状のアルミカーテンウォール材を製作する。完成したアルミカーテンウォール材をタワークレーン等の揚重機を用いて順次設置していき、建築構造物の外壁を構築する。このような工法によれば、小さな部材で搬入することで輸送コストを抑えることができるとともに、取付け作業の前段階でユニット化することで取付け作業の効率を上げて工期の短縮を図ることができる（例えば、特許文献１参照。）。
【０００４】
上記したサイトヤード方式の工法では、上記した各作業に必要なスペースが一日当たりの必要製作枚数からある程度決まり、その広さは数百ｍ２〜千ｍ２にもなる。特に、（５）養生／完成品ストックエリアでは、シールの固化などでカーテンウォール材が４〜６日の養生されるので、少なくとも４〜６日分のカーテンウォール材をストックできる程度のスペースが必要である。ところが、そのような広さの場所を現場内に長期間に亘って確保するのは現実的に難しい。そこで、完成したカーテンウォール材を台車の上に横に寝かしたまま積み重ねてストック養生する方法（積み重ねストック方法）や、完成したカーテンウォール材を縦に起こして台車の上に隙間なく並べてストック養生する方法（立て置きストック方法）がある。これらのストック方法により、養生／完成品ストックエリアを圧縮することができ、狭いエリアでより多くのカーテンウォール材をストック養生することができる。
【特許文献１】特開２００１−３２３６６２号公報
【発明の開示】
【発明が解決しようとする課題】
【０００５】
ところで、近年、カーテンウォール材の大型化が進んでいるが、大型のカーテンウォール材の場合、カーテンウォール材は相当な重量となり、完成したカーテンウォール材を積み重ねるとフレーム強度不足で下のカーテンウォール材が破損するおそれがある。このため、大型のカーテンウォール材を容易に積み重ねられず、上記した積み重ねストック方法では問題がある。さらに、大型のカーテンウォール材を縦にするとカーテンウォール材の上部が梁等にぶつかる場合がある。このため、台車上に縦にして並べられたカーテンウォール材を横移動させることができず、上記した立て置きストック方法でも問題がある。このように、大型のカーテンウォール材の場合、従来のようなストック方法を採用することができず、カーテンウォール材をストックするのに広いスペースを要するという問題がある。
【０００６】
本発明は、上記した従来の問題が考慮されたものであり、広いスペースを確保することなく多くの大型カーテンウォール材を適正にストックすることができるストック設備を提供することを目的としている。
【課題を解決するための手段】
【０００７】
本発明に係るストック設備は、版状のカーテンウォール材を工事現場内にストックするためのストック設備であって、工事中の多層構造物に形成された鉛直方向に複数層に亘って延在する空間内に、前記多層構造物の躯体間に架設されたストック架台が設置され、該ストック架台に、鉛直に配置された前記カーテンウォール材が複数並べて吊持されることを特徴としている。
【０００８】
このような特徴により、複数層に亘って延在する空間の中にストック架台を設置するとともに、このストック架台に複数のカーテンウォール材を吊持させることで、複数のカーテンウォール材は、鉛直に吊り下げられた状態で上記空間内に並べてストックされる。
【０００９】
また、前記ストック架台は、前記多層構造物の躯体間に架け渡されて支持されているとともに間隔をあけて並列に配設された複数の支持架材と、該複数の支持架材の間に架け渡されて支持されているとともに吊り具を介して前記カーテンウォール材を吊持する複数の吊り架材と、を備える構成からなることが好ましい。
【００１０】
これにより、躯体間に複数の支持架材を並列に架設させた後、それらの支持架材間に、カーテンウォール材を吊持する吊り架材を複数架設させていくことで、複数のカーテンウォール材が吊り下げられた状態でストックされる。また、複数の支持架材を一体的に移動させると、支持架材間に架け渡された複数の吊り架材も一緒に移動し、複数のカーテンウォール材が一度にまとめて移動される。また、支持架材と切り離して吊り架材を移動させると、１つ１つのカーテンウォール材が個別的に移動される。
【００１１】
また、本発明に係るストック設備は、前記カーテンウォールを前記ストック架台にセットするセット層よりも上の層の前記空間内に、前記セット層よりも下の層の前記空間内に搬入された前記カーテンウォール材を前記ストック架台まで吊り上げる吊上げ手段が設置されていることが好ましい。
【００１２】
これにより、セット層に設置されたストック架台の下方の空間内に運び込まれたカーテンウォール材は、吊上げ手段によって吊り上げられてストック架台のところまで運ばれ、ストック架台に吊り下げられる。
【００１３】
また、前記吊上げ手段は、前記多層構造物の躯体に固定された平行する複数の固定レールと、該複数の固定レール間に架設されているとともに該固定レールに沿って走行する走行レールと、該走行レールに沿って走行する走行体と、該走行体に設けられ、前記カーテンウォール材を吊り上げるカーテンウォール材用揚重装置と、を備えた構成からなることが好ましい。
【００１４】
これにより、吊上げ手段によるカーテンウォール材の吊り上げ作業を行なう際、まず、走行レール及び走行体を適宜走行させることで、揚重装置を上記空間の平面内で水平方向に移動させ、任意の位置に配置させる。そして、ストック架台の下方の空間内に運び込まれたカーテンウォール材を取り付けた後、揚重装置によってカーテンウォール材を吊り上げていくとともに、走行レール及び走行体を適宜走行させてカーテンウォール材を水平方向に移動させて水平方向の位置調整を行い、ストック架台の所定位置にカーテンウォール材を吊り下げる。
【００１５】
また、本発明に係るストック設備は、前記複数のカーテンウォール材を前記ストック架台に吊持させた状態でストックするストック層よりも上の層の前記空間内に、前記複数のカーテンウォール材を吊持した前記ストック架台を前記空間内で昇降させる昇降手段が設置されていることが好ましい。
【００１６】
これにより、躯体間に架設されたストック架台を昇降手段によって複数のカーテンウォール材ごと上記空間内で昇降させ、カーテンウォール材を吊持させたストック架台を他の層に盛替える。
【００１７】
また、前記昇降手段は、前記多層構造物の躯体から前記空間側に張り出して設けられた支持アームと、該支持アームに設けられ、前記ストック架台を吊り上げるストック架台用揚重装置と、を備えた構成からなることが好ましい。
【００１８】
これにより、ストック架台を上の層に盛替える際、揚重装置によってストック架台が吊り上げられ、ストック架台が盛替え元から盛替え先まで運ばれる。
【発明の効果】
【００１９】
本発明に係るストック設備によれば、鉛直方向に延在する空間の中に、複数のカーテンウォール材が吊り下げられた状態で並べてストックされるので、カーテンウォール材をストックするために広いスペースを確保する必要がない。また、積み重ねていないため、大型のカーテンウォール材であっても破損せず、鉛直方向に延在する空間に配置しているため、大型のカーテンウォール材であっても多層構造物の躯体にぶつかったりすることがなく、大型のカーテンウォール材を適正にストックすることができる。
【発明を実施するための最良の形態】
【００２０】
以下、本発明に係るストック設備の実施の形態について、図面に基いて説明する。なお、図１は、本実施の形態におけるストック設備１を表す立面図である。
【００２１】
図１に示すように、ストック設備１は、多層構造物Ｘの新築工事或いは改修工事において工事現場内にカーテンウォール材２を複数ストックするための設備であり、工事中の多層構造物Ｘに形成されたエレベータシャフト空間Ｓ（空間）内に設置されている。カーテンウォール材２は、多層構造物Ｘの外壁を形成する版状の部材であり、例えば、矩形平板状のものである。カーテンウォール材２としては、例えば、アルミ製の枠にガラスが嵌め込まれた構成からなるアルミカーテンウォール材や、コンクリート造のプレキャストコンクリートカーテンウォール材等がある。また、エレベータシャフト空間Ｓは、図示せぬ本設のエレベータの昇降路となる空間であって、多層構造物Ｘの各階のフロアを貫通して形成された鉛直方向に複数層に亘って延在する空間である。また、ストック設備１は、図示せぬ本設エレベータを設置する前の工事期間中にエレベータシャフト空間Ｓに設置される仮設物であり、本設エレベータを設置する際には撤去されるものである。
【００２２】
ストック設備１は、鉛直に配置した複数のカーテンウォール材２…を複数並べて吊持するストック架台３と、エレベータシャフト空間Ｓ内に搬入されたカーテンウォール材２をストック架台３まで吊り上げる吊上げユニット４（吊上げ手段）と、複数のカーテンウォール材２…を吊持したストック架台３をエレベータシャフト空間Ｓ内で昇降させる昇降ユニット５（昇降手段）とから構成されている。
【００２３】
上記した工事中の多層構造物Ｘでは、多層構造物Ｘの最下層内でカーテンウォール材２を製作しており、製作されたカーテンウォール材２やストック架台３の部材（支持ビーム３０や吊ビーム３１等）はこの最下層のところからエレベータシャフト空間Ｓ内に搬入される。この最下層（搬入層Ｆ１）の上には、ストック架台３に複数のカーテンウォール材２…をセットするセット層Ｆ２があり、そのセット層Ｆ２の更に上には、吊上げユニット４を設置する吊上げユニット設置層Ｆ３がある。また、吊上げユニット設置層Ｆ３の上には、複数のカーテンウォール材２…が吊持されたストック架台３をストックするストック層Ｆ４〜Ｆ６が複数層ある。最も上のストック層Ｆ６の上には、昇降ユニット５を設置する昇降ユニット設置層Ｆ７がある。
【００２４】
図２は、ストック架台３を表す平面図であり、図３は、図２に示すＡ−Ａ間の断面図であってストック架台３を表す図である。
図１、図２、図３に示すように、ストック架台３は、多層構造物Ｘの梁Ｇ、Ｇ（躯体）間に架け渡されて支持された２本の支持ビーム３０、３０（支持架材）と、２本の支持ビーム３０、３０間に架け渡されて支持された吊ビーム３１…とから構成されている。
【００２５】
支持ビーム３０は、筒状の本体部３２の両端にロッド状の伸縮脚部３３、３３がそれぞれ挿装された構成からなるアウトリガー方式のビーム材であり、両端の伸縮脚部３３、３３が本体部３２から出し入れ可能な構成からなる。支持ビーム３０は、伸縮脚部３３、３３が伸びた状態で梁Ｇ、Ｇ上面にそれぞれ載せられることで支持され、梁Ｇ、Ｇ間に架設されている。また、２本の支持ビーム３０、３０は、カーテンウォール材２の横寸法Ｗよりも大きい間隔Ｌをあけて並列に配設されている。
【００２６】
吊ビーム３１は、支持ビーム３０に直交する方向に延在するビーム材であり、その両端が支持ビーム３０の上面にそれぞれ載せられることで支持され、２本の支持ビーム３０、３０間に架設されている。吊ビーム３１は、ワイヤやシャックルなどの吊り具３４によりカーテンウォール材２を懸垂支持できるようになっており、各吊ビーム３１には、鉛直に配置されたカーテンウォール材２が各々１枚づつそれぞれ吊持されている。このとき、カーテンウォール材２は、吊ビーム３１の軸方向に沿って延在する向きで配置されている。また、上記した吊ビーム３１は、支持ビーム３０の軸方向に間隔を置いて複数（図２では６本）並列に配設されており、各吊ビーム３１…にそれぞれ吊持されたカーテンウォール材２…は、平行に並べて配置されている。
【００２７】
また、ストック架台３の側方には、作業員が作業するための足場６、６が設けられている。この足場６は、梁Ｇ、Ｇ間に架設されてエレベータシャフト空間Ｓを横断する渡り足場であり、支持ビーム３０と平行に延在させている。
【００２８】
図４は、吊上げユニット４を表す見上げ図であり、図５は、図４に示すＢ−Ｂ間の断面図であって吊上げユニット４を表す図である。
図１、図４、図５に示すように、吊上げユニット４は、吊上げユニット設置層Ｆ３の梁Ｇ、Ｇに固定された平行する２本の固定レール４０、４０と、２本の固定レール４０、４０間に架設されているとともに固定レール４０、４０に沿って走行する走行レール４１と、走行レール４１に取り付けられて走行レール４１に沿って走行するトロリ４２（走行体）と、トロリ４２に設けられたカーテンウォール材用揚重装置４３とから構成されている。なお、吊上げユニット４には、走行レール４１やトロリ４２をそれぞれ走行駆動させる図示せぬ駆動機構が備えられている。
【００２９】
固定レール４０は、梁Ｇの底面に固定されており、梁Ｇの軸方向に沿って延在されている。なお、本実施の形態では、固定レール４０が上記した吊ビーム３１に平行する方向に延在されているが、吊ビーム３１に直交する方向（支持ビーム３０に平行する方向）に延在されていてもよい。走行レール４１は、固定レール４０、４０の下方に配置されており、固定レール４０、４０に対して摺動可能に取り付けられている。走行レール４１の下面には、軸方向に延在する溝が形成されており、この溝にトロリ４２が嵌合されている。トロリ４２は、走行レール４１に対して摺動可能に取り付けられている。トロリ４２の下面には、カーテンウォール材用揚重装置４３が垂設されている。このカーテンウォール材用揚重装置４３は、電動チェーンブロック等の公知の揚重装置であり、カーテンウォール材２を吊持する吊ビーム３１を吊り上げることでカーテンウォール材２を吊り上げたりストック架台３の支持ビーム３０を吊り上げたりする装置である。例えば、カーテンウォール材２を吊持する吊ビーム３１を吊り上げる場合、吊ビーム３１にワイヤ４４を玉掛けするとともにこのワイヤ４４をカーテンウォール材用揚重装置４３の吊りフック４３ａに引っ掛ける。その後、カーテンウォール材用揚重装置４３を巻き上げて吊りフック４３ａを上昇させる。これにより、吊り具３４を介してカーテンウォール材２が懸垂支持された状態で吊ビーム３１が吊り上げられる。
【００３０】
図６は、昇降ユニット５を表す平面図であり、図７は、図６に示すＣ−Ｃ間の断面図であって昇降ユニット５を表す図である。
図１、図６、図７に示すように、昇降ユニット５は、昇降ユニット設置層７の梁Ｇ、Ｇの上面からエレベータシャフト空間Ｓの内方側に張り出された複数の支持アーム５０…と、各支持アーム５０…の先端にそれぞれ懸垂支持された複数のストック架台用揚重装置５１…と、複数のストック架台用揚重装置５１…により揚重される２本のストック架台用吊ビーム５２、５２とから構成されている。
【００３１】
支持アーム５０は、Ｌ字状に組み立てられた部材であり、上記した吊ビーム３１に平行に延在する梁Ｇ、Ｇの上面にそれぞれ対向させて設けられている。また、支持アーム５０は、各梁Ｇ、Ｇの上面に複数台（図６では２台）づつ設けられており、これらの支持アーム５０、５０は間隔を置いて配設されている。また、ストック架台用揚重装置５１は、電動チェーンブロック等の公知の揚重装置であり、ワイヤ５４を介して支持アーム５０から吊り下げられた状態で設けられている。ストック架台用吊ビーム５２は、支持ビーム３０、３０に直交する方向に延在するビーム材であり、複数台のストック架台用揚重装置５１、５１の吊りワイヤ５１ａ、５１ａによって吊持されている。ストック架台用吊ビーム５２は、２台のストック架台用揚重装置５１によって適宜昇降可能とされている。また、ストック架台用吊ビーム５２は、支持ビーム３０、３０の両端部上方に配置され、連結部材５３、５３を介して２本の支持ビーム３０、３０の各本体部３２、３２にそれぞれ連結される。
【００３２】
次に、上記した構成からなるストック設備１を用いたカーテンウォール材２のストック方法について説明する。
【００３３】
まず、吊上げユニット設置層Ｆのエレベータシャフト空間Ｓ内に吊上げユニット４を設置するとともに、昇降ユニット設置層Ｆ７のエレベータシャフト空間Ｓ内に昇降ユニット５を設置する。
【００３４】
次に、搬入層Ｆ１のエレベータシャフト空間Ｓ内にストック架台３の支持ビーム３０、３０を搬入する。そして、搬入された支持ビーム３０を吊上げユニット４によりセット層Ｆ２まで吊り上げて、セット層Ｆ２の梁Ｇ、Ｇ間に２本の支持ビーム３０、３０をそれぞれ架設させる。具体的に説明すると、固定レール４０に沿って走行レール４１を適宜走行させるとともに走行レール４１に沿ってトロリ４２を適宜走行させ、トロリ４２に設けられたカーテンウォール材用揚重装置４３を所定位置まで水平移動させる。また、カーテンウォール材用揚重装置４３を巻き出して吊りフック４３ａを搬入層Ｆ１まで降ろす。そして、支持ビーム３０をワイヤ等で玉掛けするとともに、吊りフック４３ａに引っ掛ける。その後、カーテンウォール材用揚重装置４３を巻き上げて吊りフック４３ａを上昇させ、支持ビーム３０をセット層Ｆ２まで吊り上げる。また、走行レール４１及びトロリ４２を動かすことでカーテンウォール材用揚重装置４３を水平移動させ、支持ビーム３０を所定の位置まで運んで梁Ｇ、Ｇ間の所定位置に配設させる。
【００３５】
次に、搬入層Ｆ１のエレベータシャフト空間Ｓ内に、現場内で製作したカーテンウォール材２および吊ビーム３１を搬入する。そして、吊り具３４を介して吊ビーム３１とカーテンウォール材２の一方の辺とを連結させる。一方、支持ビーム３０を設置する場合と同様に、カーテンウォール材用揚重装置４３を所定位置まで水平移動させるとともに、カーテンウォール材用揚重装置４３の吊りフック４３ａを搬入層Ｆ１まで降ろす。そして、ワイヤー４４を吊ビーム３１に玉掛けするとともにこのワイヤー４４を吊りフック４３ａに引っ掛ける。その後、カーテンウォール材用揚重装置４３を巻き上げて吊りフック４３ａを上昇させ、吊ビーム３１をセット層Ｆ２まで吊り上げる。また、走行レール４１及びトロリ４２を動かすことでカーテンウォール材用揚重装置４３を水平移動させ、吊ビーム３１を所定の位置まで運んで支持ビーム３０、３０間の所定位置に架設させる。吊ビーム３１が吊り上げられると、カーテンウォール材２は吊り具３４を介して吊ビーム３１から吊り下げられ、支持ビーム３０、３０（ストック架台３）にカーテンウォール材２がセットされる。なお、図２に示すように、吊ビーム３１を吊り上げる際に、吊ビーム３１が支持ビーム３０の直交方向に延在していると、吊ビーム３１の両端が支持ビーム３０、３０に引っ掛かるため、吊ビーム３１の向きを支持ビーム３０に対して斜めにする。これにより、吊ビーム３１の両端が支持ビーム３０、３０に引っ掛からないようになり、吊ビーム３１が支持ビーム３０、３０の上方まで吊り上げられる。
【００３６】
上記したカーテンウォール材２のセット作業を、複数（図２では６つ）のカーテンウォール材２…に対してそれぞれ行い、支持ビーム３０、３０間に一日分（一日で取り付けることができる数）のカーテンウォール材２…をセットする。これにより、ストック架台３に、鉛直に配置されたカーテンウォール材２が複数並べて吊持される。
【００３７】
次に、複数のカーテンウォール材２がセットされたストック架台３を、昇降ユニット５によって最も上にある第３ストック層Ｆ６まで吊り上げ、第３ストック層Ｆ６のエレベータシャフト空間Ｓ内に設置する。具体的に説明すると、まず、各ストック架台用揚重装置５１…の吊りワイヤ５１ａ…をそれぞれ降ろしていき、ストック架台用吊ビーム５２、５２をセット層Ｆ２のストック架台３のところまで降ろす。そして、ストック架台用吊ビーム５２、５２に懸垂された連結部材５３、５３を支持ビーム３０、３０にそれぞれ取り付ける。その後、各ストック架台用揚重装置５１…の吊りワイヤ５１ａ…をそれぞれ巻き上げていき、複数のカーテンウォール材２…がセットされたストック架台３を吊り上げていく。このとき、２本の支持ビーム３０、３０の両側の伸縮脚部３３…をそれぞれ縮めておく。また、ストック架台３が傾かないように、複数台のストック架台用揚重装置５１…の駆動を同期させて各吊りワイヤ５１ａ…を同じ速度で巻き上げ、ストック架台用吊ビーム５２、５２を水平状態のまま並行に上昇させる。昇降ユニット５によりストック架台３を第３ストック層Ｆ６まで上昇させた後、２本の支持ビーム３０、３０の両側の伸縮脚部３３…をそれぞれ延ばして第３ストック層Ｆ６の梁Ｇ、Ｇに載せて支持させる。
【００３８】
続いて、セット層Ｆ２のエレベータシャフト空間Ｓ内で、上述したカーテンウォール材２…のセット方法により、新たなストック架台３に複数のカーテンウォール材２…をセットする。そして、このストック架台３を、上述した第３ストック層Ｆ６への設置方法と同様のして、真中の第２ストック層Ｆ５のエレベータシャフト空間Ｓ内に設置する。その後、セット層Ｆ２のエレベータシャフト空間Ｓ内で、上述したカーテンウォール材２…のセット方法により、再度、新たなストック架台３に複数のカーテンウォール材２…をセットする。そして、このストック架台３を、上述した第３ストック層Ｆ６への設置方法と同様のして、最も下の第１ストック層Ｆ４のエレベータシャフト空間Ｓ内に設置する。これにより、エレベータシャフト空間Ｓ内に、複数のカーテンウォール材２…がセットされたストック架台３が複数台設置され、多数のカーテンウォール材２がストックされる。
【００３９】
次に、エレベータシャフト空間Ｓ内に設置された複数台のストック架台３…のうち、最も上の第３ストック層Ｆ６に設置されたストック架台３を、タワークレーン等の揚重機７を用いて吊り上げ、支持ビーム３０の伸縮脚部３３、３３を躯体施工層Ｆ８の梁Ｇ、Ｇ間に載せて支持させ、２本の支持ビーム３０、３０を躯体施工層Ｆ８の梁Ｇ、Ｇ間に架設させる。このように、ストック架台３を躯体施工層Ｆ８に盛替えた後、そのストック架台３に架設された吊ビーム３１…のうちの１つに玉掛けして揚重機７を用いて吊り上げ、カーテンウォール材２の取付け位置まで運ぶ。このように、吊ビーム３１ごとカーテンウォール材２を揚重し、カーテンウォール材２の取付け作業を行う。
【００４０】
一方、第３ストック層Ｆ６のエレベータシャフト空間Ｓに設置されたストック架台３を躯体施工層Ｆ８に盛替えた後、昇降ユニット５を用いて、第２ストック層Ｆ５のエレベータシャフト空間Ｓに設置されたストック架台３を第３ストック層Ｆ６に盛替える。その後、第１ストック層Ｆ４のエレベータシャフト空間Ｓに設置されたストック架台３を第２ストック層Ｆ５に盛替える。このように、各ストック層Ｆ４〜Ｆ６にそれぞれストックされたストック架台３…を上から順に上の層にそれぞれ盛替えていき、最も下の第１ストック層Ｆ４を空ける。なお、昇降ユニット５を用いたストック架台３の盛替え作業は、上述したセット層Ｆ２のストック架台３を各ストック層Ｆ４〜Ｆ６に設置する場合と同様にして行う。
【００４１】
また、セット層Ｆ２のエレベータシャフト空間Ｓ内では、上述したカーテンウォール材２…のセット方法により、新たなストック架台３に複数のカーテンウォール材２…をセットする作業を行う。そして、複数のカーテンウォール材２…がセットされたストック架台３を、昇降ユニット５を用いて、空けられた第１ストック層Ｆ４に設置する。
その後、セット層Ｆ２のエレベータシャフト空間Ｓ内では、上述したカーテンウォール材２…のセット方法により、新たなストック架台３に複数のカーテンウォール材２…をセットする作業を再び行う。
【００４２】
なお、上述したように、昇降ユニット５によって上側のストック架台３の盛替えを行った後、下側のストック架台３の盛替えを行うべく、ストック架台用吊ビーム５２、５２を吊り降ろす際、図８に示すように、ストック架台用吊ビーム５２を鉛直方向に傾けて吊り降ろす。具体的に説明すると、ストック架台用吊ビーム５２を吊持する２台のストック架台用揚重装置５１、５１のうち、一方のストック架台用揚重装置５１だけを巻き下げたり巻き上げたりして、ストック架台用吊ビーム５２は斜めに傾ける。これによって、ストック架台用吊ビーム５２を吊り降ろす際に、支持ビーム３０に干渉させずにストック架台用吊ビーム５２を吊り降ろすことができる。
【００４３】
上記した構成からなるストック設備１によれば、一日分のカーテンウォール材２…がセットされたストック架台３が、セット層Ｆ２、第１ストック層Ｆ４、第２ストック層Ｆ５、及び第３ストック層Ｆ６のそれぞれに１台づつストックされているため、４日分のカーテンウォール材２…をストックすることが可能である。勿論、ストック層Ｆ４〜Ｆ６の数を増減させることで、ストックするカーテンウォール材２…の数を増減させることができ、例えば、６日分のカーテンウォール材２…をストックする場合には、ストック層の数を５つにすればよい。
【００４４】
また、上記した構成からなるストック設備１によれば、エレベータシャフト空間Ｓの中に、複数のカーテンウォール材２…が吊り下げられた状態で並べてストックされるので、カーテンウォール材２…をストックするために広いスペースを確保する必要がない。つまり、カーテンウォール材２のストック／養生スペースを大幅に削減することができる。
【００４５】
また、カーテンウォール材２を積み重ねていないので、大型のカーテンウォール材２…であっても破損することがない。また、鉛直に配置されたカーテンウォール材２は、複数層に亘って鉛直方向に延在するエレベータシャフト空間Ｓ内に配置されているため、大型のカーテンウォール材２…であっても多層構造物の躯体にぶつかったりすることがない。このように、大型のカーテンウォール材２であっても問題無くストックすることができる。
【００４６】
また、上記したストック架台３は、２本の支持架材３０、３０と、これらの支持架材３０、３０の間に架け渡されて支持されているとともにカーテンウォール材２を吊持する吊り架材３１…とからなるため、エレベータシャフト空間Ｓ内に、鉛直に配置された複数のカーテンウォール材２…を並べてストックさせることができる。また、支持ビーム３０、３０を移動させるだけで、並べられた複数のカーテンウォール材２…を一度にまとめて移動させることができる。さらに、吊ビーム３１を吊り上げて支持ビーム３０、３０から分離させるだけで、カーテンウォール材２…を個別的に移動させることもできる。このため、ストック架台３にカーテンウォール材２をセットする作業や、複数のカーテンウォール材２…がセットされたストック架台３を盛替える作業や、ストック架台３にセットされたカーテンウォール材２を取り付ける作業を容易に行うことができる。
【００４７】
また、上記した構成からなるストック設備１によれば、吊上げユニット４が備えられているため、ストック架台３にカーテンウォール材２をセットする作業を容易に行うことができる。
【００４８】
また、上記した吊上げユニット４は、２本の固定レール４０、４０と、固定レール４０、４０間に架設されているとともに固定レール４０、４０に沿って走行する走行レール４１と、走行レール４１に沿って走行するトロリ４２と、トロリ４２に設けられたカーテンウォール材用揚重装置４３とからなるため、吊上げユニット４を用いてカーテンウォール材２を任意の位置に運ぶことができ、カーテンウォール材２を容易に所定位置に配設させることができる。
【００４９】
また、上記した構成からなるストック設備１によれば、昇降ユニット５が備えられているため、複数のカーテンウォール材２…が吊持された状態のストック架台３を他の層に容易に盛替えることができる。
【００５０】
また、上記した昇降ユニット５は、支持アーム５０…と、支持アーム５０…にそれぞれ設けられたストック架台用揚重装置５１とが備えられた構成からなるため、複雑な機械を用いることなく、容易にストック架台３を盛替えることができる。
【００５１】
さらに、上記した構成からなるストック設備１によれば、ストック設備１の設置及び盛替えを容易に行うことができる。例えば、仕上げ工程の関係で、カーテンウォール材２を製作するフロアを替えなければならない場合、吊上げユニット４及び昇降ユニット５を盛替えるだけで対応することが可能であり、より適用性が高い。
【００５２】
以上、本発明に係るストック設備の実施の形態について説明したが、本発明は上記した実施の形態に限定されるものではなく、その趣旨を逸脱しない範囲で適宜変更可能である。例えば、上記した実施の形態では、支持ビーム３０、３０の上面に吊ビーム３１の両端を載せるようにして吊ビーム３１を架設させているが、本発明はこれに限定されない。例えば、図９、図１０に示すように、両側の支持ビーム３０に側方に突出する受け部材３５を突設させ、この受け部材３５の上に吊ビーム３１の端部を載せることで吊ビーム３１を支持させてもよい。
【００５３】
また、上記した実施の形態では、ストック架台３に２本の支持ビーム３０、３０が備えられているが、本発明は、３本以上の支持ビームが備えるストック架台を用いることも可能である。
また、上記した実施の形態では、吊上げユニット４に２本の固定レール４０、４０が備えられているが、本発明は、３本以上の固定レールが備える吊上げ手段を用いることも可能である。
【００５４】
また、上記した実施の形態では、現場で製作されたカーテンウォール材２…をストックするストック設備１について説明しているが、本発明に係るストック設備は、工場で製作されたカーテンウォール材をストックすることも可能である。
【００５５】
また、上記した実施の形態では、エレベータシャフト空間Ｓ内にストック設備１が設置されているが、本発明は、エレベータシャフト以外の上下方向に複数層に亘って延在する空間の中にストック設備１を設置することも可能であり、例えば、構造物内に形成された吹き抜け空間の中に本発明に係るストック設備を設置することも可能である。
【００５６】
また、上記した実施の形態では、支持ビーム３０の両端が伸縮脚部３３、３３により伸縮可能なアウトリガー方式の構成となっているが、本発明は、支持ビームの両端が回動可能な構成になっていてもよい。例えば、支持ビームの両端部が、回転軸を介して本体部に対して回動可能に取り付けられていてもよい。さらに、支持ビームの両端部が伸縮したり回動したりしない構成であってもよい。これにより、安価な支持ビーム３０を使用することができる。
【００５７】
また、上記した実施の形態では、固定レール４０、走行レール４１、トロリ４２及びカーテンウォール材用揚重装置４３からなる吊上げユニット４が備えられているが、本発明は、上記した構成以外の吊上げユニットが備えられていてもよい。例えば、梁Ｇ、Ｇ間に架設されたビーム材の中間部分にカーテンウォール材用揚重装置４３が垂設された構成からなる吊上げユニットであってもよい。これにより、吊り上げたカーテンウォール材を水平方向に移動させることはできないが、より簡易的で盛替え作業が簡単な吊上げユニットとすることができる。さらに、本発明は、吊上げユニット４が備えられていない構成とすることも可能である。例えば、現場に設置された揚重機７等を利用してカーテンウォール材２を吊り上げることも可能である。
【００５８】
また、上記した実施の形態では、昇降ユニット５を用いてストック架台３を上昇させて上層に盛替えているが、本発明は、昇降ユニット５を用いてストック架台３を下降させて下層に盛替えることも可能である。
【００５９】
また、上記した実施の形態では、支持アーム５０、ストック架台用揚重装置５１、ストック架台用吊ビーム５２とからなる昇降ユニット５が備えられているが、本発明は、上記した構成以外の昇降ユニットが備えられていてもよい。例えば、梁Ｇ、Ｇ間に架設されたビーム材にストック架台用吊ビーム５２が垂設された構成からなる昇降ユニットであってもよい。さらに、本発明は、昇降ユニット５が備えられていない構成とすることも可能である。例えば、現場に設置された揚重機７等を利用してストック架台３を昇降させることも可能である。
【００６０】
その他、本発明の主旨を逸脱しない範囲で、上記した実施の形態における構成要素を周知の構成要素に置き換えることは適宜可能であり、また、上記した変形例を適宜組み合わせてもよい。
【図面の簡単な説明】
【００６１】
【図１】本発明に係る実施の形態を説明するためのストック設備を表す立面図である。
【図２】本発明に係る実施の形態を説明するためのストック架台を表す平面図である。
【図３】本発明に係る実施の形態を説明するためのストック架台を表す断面図である。
【図４】本発明に係る実施の形態を説明するための吊上げ手段を表す平面図である。
【図５】本発明に係る実施の形態を説明するための吊上げ手段を表す断面図である。
【図６】本発明に係る実施の形態を説明するための昇降手段を表す平面図である。
【図７】本発明に係る実施の形態を説明するための昇降手段を表す断面図である。
【図８】本発明に係る実施の形態を説明するための昇降手段を表す断面図である。
【図９】本発明に係る他の実施の形態を説明するための吊上げ手段の部分断面図である。
【図１０】本発明に係る他の実施の形態を説明するための吊上げ手段の部分側面図である。
【符号の説明】
【００６２】
１  ストック設備
２  カーテンウォール材
３  ストック架台
４  吊上げユニット（吊上げ手段）
５  昇降ユニット（昇降手段）
３０  支持ビーム（支持架材）
３１  吊ビーム（吊り架材）
３４  吊り具
４０  固定レール
４１  走行レール
４２  トロリ（走行体）
４３  カーテンウォール材用揚重装置
５０  支持アーム
５１  ストック架台用揚重装置
【図１】
2008190149.tif 000003
【図２】
2008190149.tif 000004
【図３】
2008190149.tif 000005
【図４】
2008190149.tif 000006
【図５】
2008190149.tif 000007
【図６】
2008190149.tif 000008
【図７】
2008190149.tif 000009
【図８】
2008190149.tif 000010
【図９】
2008190149.tif 000011
【図１０】
2008190149.tif 000012